(57)【特許請求の範囲】
【請求項１】
電子部品の長さ方向の端部から同方向に突設されたリード端子と同部品の接続装置のコンタクトとの間に介在し且つリード端子とコンタクトとを接続可能な導電性を有するコイルスプリングで構成された緩衝具であって、
リード端子に取付可能な第１の取付部と、
電子部品の長さ方向に第１の取付部と間隔を空けて位置しており且つ接続装置に取付可能な第２の取付部と、
第１、第２の取付部の間に設けられており且つ電子部品の長さ方向の熱膨張変形又は熱収縮変形に応じて弾性変形可能な弾性変形部とを備えており、
前記第１の取付部は、前記コイルスプリングの長さ方向の一方側に設けられた棒体部又は円筒状の座巻部であって、前記リード端子に機械的に取付可能であると共に、電気的に接続可能な第１の接続部となっており、
前記第２の取付部は、前記コイルスプリングの長さ方向の他端側に設けられており且つ電子部品の前記端部が若干の隙間を有して挿入可能な内径を有する円筒状の座巻部であって、前記コンタクトに電気的に接続可能な第２の接続部となっており、
前記弾性変形部は、前記コイルスプリングの前記第１、第２の接続部間のコイルバネ部である
ことを特徴とする緩衝具。
【請求項２】
電子部品の長さ方向の端部から同方向に突設されたリード端子と同部品の接続装置との間に介在し且つリード端子とコンタクトとを接続可能な緩衝具であって、
リード端子に取付可能な第１の取付部と、
電子部品の長さ方向に第１の取付部と間隔を空けて位置しており且つ接続装置に取付可能な第２の取付部と、
第１、第２の取付部の間に設けられており且つ電子部品の長さ方向の熱膨張変形又は熱収縮変形に応じて弾性変形可能な弾性変形部とを備えており、
前記第１の取付部は、リード端子に機械的に取付可能であると共に、電気的に接続可能な第１の接続部となっており、
前記第２の取付部は、電子部品の前記端部が若干の隙間を有して挿入可能な内径を有する円筒状の板体であって、接続装置のコンタクトに電気的に接続可能な第２の接続部となっており、
前記弾性変形部は、部分的に切り欠かれた円筒状の板体であって、前記第２の接続部に連続する略矩形状のベース板と、
前記ベース板と前記第１の接続部との間に間隔を空けて配置される複数の略矩形状の連結板と、
前記ベース板と前記連結板との間、前記連結板の間及び前記連結板と前記第１の接続部との間に設けられた複数の変形部とを有し、
前記変形部は側面視略Ｕ字状の一対の湾曲部を有し、この湾曲部は、前記長さ方向に直交する方向に対称配置され且つ頂部同士が互いに対向するように半円弧状に湾曲している
ことを特徴とする緩衝具。
【請求項３】
電子部品の長さ方向の端部から同方向に突設されたリード端子と同部品の接続装置との間に介在し且つリード端子とコンタクトとを接続可能な緩衝具であって、
リード端子に取付可能な第１の取付部と、
電子部品の長さ方向に第１の取付部と間隔を空けて位置しており且つ接続装置に取付可能な第２の取付部と、
第１、第２の取付部の間に設けられており且つ電子部品の長さ方向の熱膨張変形又は熱収縮変形に応じて弾性変形可能な弾性変形部とを備えており、
前記第１の取付部は、リード端子に機械的に取付可能であると共に、電気的に接続可能な第１の接続部となっており、
前記第２の取付部は、電子部品の前記端部に対向可能な断面視半円弧状の板体であって、接続装置のコンタクトに電気的に接続可能な第２の接続部となっており、
前記弾性変形部は、側面視略Ｓ字状の板体である変形部本体と、
前記変形部本体の一端部と前記第１の接続部とを連結する第１の連結板と、
前記変形部本体の他端部と前記第２の接続部とを連結する第２の連結板とを有している
ことを特徴とする緩衝具。
【請求項４】
接続装置がコンタクトを収容するボディを有する構成である場合の請求項１乃至３の何れかに記載の緩衝具において、
前記第２の接続部は、コンタクトのクランプ部とボディの一部との間で挟持されることにより、前記接続装置に取り付けられると共に、前記コンタクトに電気的に接続されるようになっている
ことを特徴とする緩衝具。
【請求項５】
接続装置のコンタクトが一対のクランプ部を有する場合の請求項１又は２に記載の緩衝具において、
前記第２の接続部は、コンタクトの一対のクランプ部間で挟持されることにより、前記接続装置に取り付けられると共に、前記コンタクトに電気的に接続されるようになっている
ことを特徴とする緩衝具。
【請求項６】
接続装置のコンタクトが一対である場合の請求項３に記載の緩衝具において、
前記第２の接続部は、一対のコンタクト間で電子部品の前記端部と共に挟持されることにより、前記接続装置に取り付けられると共に、前記コンタクトに電気的に接続されるようになっている
ことを特徴とする緩衝具。
【請求項７】
請求項１に記載の緩衝具において、
前記第２の接続部は、座巻部ではなく、弾性変形部の端部に連続し且つコイル間隔が該弾性変形部よりも密であるコイル体であることを特徴とする緩衝具。
【請求項８】
請求項２又は３記載の緩衝具において、
前記第１の接続部にはリード端子が挿入可能な挿入孔が設けられていることを特徴とする緩衝具。
【請求項９】
請求項８記載の緩衝具において、
前記第１の接続部は断面視略Ｌ字状の板状体であって、第１の板部と、この第１の板部に対して略直角に折り曲げられた第２の板部とを有しており、
前記挿入孔は、第２の板部の第１の板部側の部分に設けられており、
前記第１の板部には、挿入孔に連通し且つ当該挿入孔に挿入されたリード端子が嵌まり込む窪みが設けられていることを特徴とする緩衝具。
【請求項１０】
電子部品の本体部の長さ方向の端部から同方向に突設されたリード端子に接続された請求項１又は２記載の緩衝具と、
電子部品の本体部の端部、リード端子及び緩衝具が収容可能な収容部を有するボディと、
ボディの収容部に収容されており且つ緩衝具の第２の接続部を収容部の内壁面との間で挟持可能なクランプ部を有するコンタクトとを備えることを特徴とする接続装置。
【請求項１１】
電子部品の本体部の長さ方向の端部から同方向に突設された一対のリード端子に各々接続された一対の請求項３記載の緩衝具と、
電子部品の本体部の端部、リード端子及び緩衝具が収容可能な収容部を有するボディと、
ボディの収容部に収容されており且つ緩衝具の第２の接続部を収容部の底板部の一部をなす支持部との間で挟持可能なクランプ部を有するコンタクトとを備えることを特徴とする接続装置。
【請求項１２】
請求項１０記載の接続装置において、
収容部の内壁面には、第２の接続部が電子部品の熱膨張変形又は熱収縮変形に伴って当該電子部品の長さ方向への移動するのを防止するストッパが設けられていることを特徴とする接続装置。
【請求項１３】
請求項１２記載の接続装置において、
ストッパは第２の接続部に当接可能な凸凹であることを特徴とする接続装置。
【請求項１４】
請求項１０又は１１記載の接続装置において、
コンタクトのクランプ部の内面には、第２の接続部が電子部品の熱膨張変形又は熱収縮変形に伴って当該電子部品の長さ方向への移動するのを抑止するストッパが設けられていることを特徴とする接続装置。
【請求項１５】
請求項１４記載の接続装置において、
ストッパは第２の接続部に当接可能な凹凸部であることを特徴とする接続装置。
【請求項１６】
請求項１０記載の接続装置において、
コンタクトは、電子部品の本体部をボディの壁面との間で挟持可能な保持部を更に有することを特徴とする接続装置。
【請求項１７】
請求項１０記載の接続装置において、
コンタクトは、電子部品の本体部を挟持可能な一対の保持部を更に有することを特徴とする接続装置。
【請求項１８】
基板上に実装される請求項１０記載の接続装置において、
基板は、長尺状の係止孔を有しており、
ボディは、基端部とこの基端部に略直角な先端部とを有し且つ係止孔に挿入可能な略Ｌ字状の係止爪を更に有しており、
係止孔は、係止爪の先端部の厚み寸法よりも若干大きい幅広部と、係止爪の基端部の厚み寸法より若干大きい幅狭部とを有しており、
係止爪が幅広部から挿入され、幅狭部に移動することにより、当該係止爪の先端部が幅狭部の縁部に係止されるようになっていることを特徴とする接続装置。
【請求項１９】
請求項１８記載の接続装置において、
基板は、ロック孔を更に有しており、
ボディは、係止爪の幅方向に向けて設けられており且つ先端部が基板の面上に沿って揺動可能なアーム部と、このアーム部の先端部に設けられており且つロック孔に挿入可能な係止凸部とを更に有しており、
ロック孔は、その一側面に設けられており且つ幅広部から幅狭部への方向に登り傾斜している山部と、山部の麓エリアと、山部を越えた谷エリアとを有しており、
係止爪が幅広部に挿入されると共に係止凸部が麓エリアに挿入され、その後、係止爪の前記移動に伴って、アーム部の先端部が揺動しつつ係止凸部が山部を越えることにより、当該係止凸部が谷エリアに落下して山部に係止されるようになっていることを特徴とする接続装置。
【請求項２０】
請求項１８又は１９記載の接続装置において、
基板上には接点パターンが設けられており、
コンタクトは、係止爪が係止孔の幅狭部に係止された状態で、接点パターンに接触可能な接点部を更に有していることを特徴とする接続装置。
【発明の詳細な説明】
【技術分野】
【０００１】
本発明は、冷陰極蛍光ランプ等の電子部品のリード端子に取り付けられ、当該電子部品と共に接続装置に取り付けられる緩衝具及び緩衝具が接続される接続装置に関する。
【背景技術】
【０００２】
冷陰極蛍光ランプのリード端子を保護するものとしては、冷陰極蛍光ランプのリード端子及びランプ本体部の端部に被せられる導電性のキャップがある。
【０００３】
このキャップは、冷陰極蛍光ランプのランプ本体部の端部に被せられる筒体と、冷陰極蛍光ランプのリード端子に導電性の接着剤や半田により電気的且つ機械的に接続される接続部とを有しており、筒体が接続装置のコンタクトに挟持されることにより、冷陰極蛍光ランプのリード端子と接続装置のコンタクトとが電気的に接続されるようになっている（特許文献１及び２参照）。
【０００４】
即ち、コンタクトに、冷陰極蛍光ランプのリード端子を直接挟持させる代わりに、キャップの筒体を挟持させることにより、前記挟持による負荷が冷陰極蛍光ランプのリード端子及びその根元部分に掛からないようにしている。
【０００５】
【特許文献１】実開昭６４−４８８５１号公報
【特許文献２】特開２００６−３５１５２９号公報
【発明の開示】
【発明が解決しようとする課題】
【０００６】
ところで、冷陰極蛍光ランプは、カーナビ等のディスプレイのバックライトとして使用される。即ち、冷陰極蛍光ランプは、夏の炎天下等の高温環境下で使用されることがある。このような高温環境下に冷陰極蛍光ランプが置かれると、当該冷陰極蛍光ランプが熱膨張変形する場合がある。
【０００７】
冷陰極蛍光ランプの端部にキャップが被せられ、当該キャップの筒体が接続装置のコンタクトに挟持されている状態で、冷陰極蛍光ランプが熱膨張変形すると、冷陰極蛍光ランプのランプ本体部の端部及びリード端子がキャップ内部に押し付けられ、これによりランプ本体部の端部及びリード端子に負荷が掛かる。このため、当該冷陰極蛍光ランプに不具合が生じる可能性がある。
【０００８】
しかも、熱膨張変形により冷陰極蛍光ランプがキャップに押し付けられると、当該キャップが冷陰極蛍光ランプの長さ方向に移動する。すると、キャップの筒体が前記コンタクトの間で摺動し、当該筒体が磨耗する。このため、キャップとコンタクトとの接触が不安定になる可能性がある。
【０００９】
本発明は、上記事情に鑑みて創案されたものであって、その目的とするところは、冷陰極蛍光ランプ等の電子部品の熱膨張変形又は熱収縮変形を吸収することができる緩衝具及び緩衝具が接続される接続装置を提供することにある。
【課題を解決するための手段】
【００１０】
上記課題を解決するために、本発明の第１緩衝具は、電子部品の長さ方向の端部から同方向に突設されたリード端子と同部品の接続装置のコンタクトとの間に介在し且つリード端子とコンタクトとを接続可能な導電性を有するコイルスプリングで構成された緩衝具であって、リード端子に取付可能な第１の取付部と、電子部品の長さ方向に第１の取付部と間隔を空けて位置しており且つ接続装置に取付可能な第２の取付部と、第１、第２の取付部の間に設けられており且つ電子部品の長さ方向の熱膨張変形又は熱収縮変形に応じて弾性変形可能な弾性変形部とを備えており、前記第１の取付部は、前記コイルスプリングの長さ方向の一方側に設けられた棒体部又は円筒状の座巻部であって、前記リード端子に機械的に取付可能であると共に、電気的に接続可能な第１の接続部となっており、前記第２の取付部は、前記コイルスプリングの長さ方向の他端側に設けられており且つ電子部品の前記端部が若干の隙間を有して挿入可能な内径を有する円筒状の座巻部であって、前記コンタクトに電気的に接続可能な第２の接続部となっており、前記弾性変形部は、前記コイルスプリングの前記第１、第２の接続部間のコイルバネ部である。
【００１１】
本発明の第２緩衝具は、電子部品の長さ方向の端部から同方向に突設されたリード端子と同部品の接続装置との間に介在し且つリード端子とコンタクトとを接続可能な緩衝具であって、リード端子に取付可能な第１の取付部と、電子部品の長さ方向に第１の取付部と間隔を空けて位置しており且つ接続装置に取付可能な第２の取付部と、第１、第２の取付部の間に設けられており且つ電子部品の長さ方向の熱膨張変形又は熱収縮変形に応じて弾性変形可能な弾性変形部とを備えており、前記第１の取付部は、リード端子に機械的に取付可能であると共に、電気的に接続可能な第１の接続部となっており、前記第２の取付部は、電子部品の前記端部が若干の隙間を有して挿入可能な内径を有する円筒状の板体であって、接続装置のコンタクトに電気的に接続可能な第２の接続部となっており、前記弾性変形部は、部分的に切り欠かれた円筒状の板体であって、前記第２の接続部に連続する略矩形状のベース板と、前記ベース板と前記第１の接続部との間に間隔を空けて配置される複数の略矩形状の連結板と、前記ベース板と前記連結板との間、前記連結板の間及び前記連結板と前記第１の接続部との間に設けられた複数の変形部とを有し、前記変形部は側面視略Ｕ字状の一対の湾曲部を有し、この湾曲部は、前記長さ方向に直交する方向に対称配置され且つ頂部同士が互いに対向するように半円弧状に湾曲している。
【００１２】
本発明の第３緩衝具は、電子部品の長さ方向の端部から同方向に突設されたリード端子と同部品の接続装置との間に介在し且つリード端子とコンタクトとを接続可能な緩衝具であって、リード端子に取付可能な第１の取付部と、電子部品の長さ方向に第１の取付部と間隔を空けて位置しており且つ接続装置に取付可能な第２の取付部と、第１、第２の取付部の間に設けられており且つ電子部品の長さ方向の熱膨張変形又は熱収縮変形に応じて弾性変形可能な弾性変形部とを備えており、前記第１の取付部は、リード端子に機械的に取付可能であると共に、電気的に接続可能な第１の接続部となっており、前記第２の取付部は、電子部品の前記端部に対向可能な断面視半円弧状の板体であって、接続装置のコンタクトに電気的に接続可能な第２の接続部となっており、前記弾性変形部は、側面視略Ｓ字状の板体である変形部本体と、前記変形部本体の一端部と前記第１の接続部とを連結する第１の連結板と、前記変形部本体の他端部と前記第２の接続部とを連結する第２の連結板とを有している。
【００１３】
前記第１、２及び３緩衝具による場合、第１、第２の接続部がリード端子、コンタクトに各々電気的且つ機械的に接続された状態で、電子部品が前記熱膨張変形又は熱収縮変形したとしても、弾性変形部が弾性変形することにより、当該熱膨張変形又は熱収縮変形を吸収することができる。このため、電子部品が前記熱膨張変形又は熱収縮変形することにより、当該電子部品が当該緩衝具に押し付けられたり当該緩衝具から引き剥がされたりするのを抑止することができるので、前記熱膨張変形又は熱収縮変形の際に、当該電子部品の本体部及びそのリード端子に掛かる負荷を低減することができる。
【００１４】
接続装置がコンタクトを収容するボディを有する構成である場合、前記第１、２又は３緩衝具は、前記第２の接続部は、コンタクトのクランプ部とボディの一部との間で挟持されることにより、前記接続装置に取り付けられると共に、前記コンタクトに電気的に接続されるようになっていても良い。
【００１５】
また、接続装置のコンタクトが一対のクランプ部を有する場合、前記第１又は２緩衝具は、前記第２の接続部が、コンタクトの一対のクランプ部間で挟持されることにより、前記接続装置に取り付けられると共に、前記コンタクトに電気的に接続されるようになっても良い。
【００１６】
また、接続装置のコンタクトが一対である場合、前記第３緩衝具は、前記第２の接続部が、一対のコンタクト間で電子部品の前記端部と共に挟持されることにより、前記接続装置に取り付けられると共に、前記コンタクトに電気的に接続されるようになっていても良い。
【００２１】
前記第１緩衝具は、前記第２の接続部が、座巻部ではなく、弾性変形部の端部に連続し且つコイル間隔が該弾性変形部よりも密であるコイル体とすることができる。
【００２３】
前記第１の接続部にリード端子が挿入される挿入孔を設けることができる。この場合、リード端子を挿入孔に挿入した状態で、当該リード端子を前記第１の接続部に半田や溶接等により電気的且つ機械的に接続することができる。従って、リード端子の第１の接続部への接続を簡単に行うことができる。
【００２４】
前記第１の接続部が断面視略Ｌ字状の板状体であって、第１の板部と、この第１の板部に対して略直角に折り曲げられた第２の板部とを有する形状である場合、前記挿入孔は、第２の板部の第１の板部側の部分に設けられており、前記第１の板部には、前記挿入孔に連通し且つ当該挿入孔に挿入されたリード端子が嵌まり込む窪みが設けられている。この場合、リード端子を挿入孔及び窪みに挿入した状態で、当該リード端子を前記第１の板部に半田や溶接等により電気的且つ機械的に接続することができる。従って、リード端子の第１の接続部の第１の板部への接続を更に簡単に行うことができる。
【００２５】
本発明の第１の接続装置は、電子部品の本体部の長さ方向の端部から同方向に突設されたリード端子に接続された第１、第２緩衝具と、電子部品の本体部の端部、リード端子及び緩衝具が収容可能な収容部を有するボディと、ボディの収容部に収容されており且つ緩衝具の第２の接続部を収容部の内壁面との間で挟持可能なクランプ部を有するコンタクトとを備える。
【００２６】
前記第１の接続装置による場合、緩衝具の第１の接続部をリード端子に電気的且つ機械的に接続した状態で、当該緩衝具をボディの収容部に挿入し、コンタクトのクランプ部と収容部の内壁面との間で挟持させるだけで、緩衝具及び電子部品をコンタクトとを簡単に接続することができる。
【００２７】
本発明の第２の接続装置は、電子部品の本体部の長さ方向の端部から同方向に突設された一対のリード端子に各々接続された一対の第３緩衝具と、電子部品の本体部の端部、リード端子及び緩衝具が収容可能な収容部を有するボディと、ボディの収容部に収容されており且つ緩衝具の第２の接続部を収容部の底板部の一部をなす支持部との間で挟持可能なクランプ部を有するコンタクトとを備える。
【００２８】
前記第２の接続装置による場合、緩衝具の第１の接続部をリード端子に電気的且つ機械的に接続した状態で、当該緩衝具をボディの収容部に挿入し、コンタクトのクランプ部に挟持させるだけで、緩衝具及び電子部品をコンタクトとを簡単に接続することができる。
【００２９】
収容部の内壁面には、第２の接続部が電子部品の熱膨張変形又は熱収縮変形に伴って当該電子部品の長さ方向への移動するのを抑止するストッパが設けられていることが好ましい。このようにストッパにより、第２の接続部が電子部品の熱膨張変形又は熱収縮変形に伴って前記長さ方向への移動が抑止されるので、第２の接続部とコンタクトとの接触が安定し、その結果、両者の安定した電気的な接続を図ることができる。
【００３０】
また、前記収容部の内壁面に代えて、コンタクトのクランプ部の内面に前記ストッパを設けることができる。このようなストッパによっても、第２の接続部が電子部品の熱膨張変形又は熱収縮変形に伴って前記長さ方向への移動が抑止されるので、第２の接続部とコンタクトとの接触が安定し、その結果、両者の安定した電気的な接続を図ることが可能になる。
【００３１】
前記ストッパは第２の接続部に当接可能な凸凹部とすることができる。このストッパによる場合、前記第２の接続部の前記移動を好適に抑止することができる。
【００３２】
前記コンタクトは、電子部品の本体部をボディの壁面との間で挟持可能な保持部を更に有する構成、或いは、電子部品の本体部を挟持可能な一対の保持部を更に有する構成とすることができる。このように保持部で電子部品の本体部を保持することにより、電子部品の振動等を抑制することができ、当該振動による負荷が電子部品全体に掛かったり、前記振動により電子部品の一部が緩衝具に衝突したりするのを抑止することができる。
【００３３】
前記接続装置が基板実装タイプである場合、基板は長尺状の係止孔を有しており、ボディは、基端部とこの基端部に略直角な先端部とを有し且つ係止孔に挿入可能な略Ｌ字状の係止爪を更に有している。係止孔は、係止爪の先端部の厚み寸法よりも若干大きい幅広部と、係止爪の基端部の厚み寸法より若干大きい幅狭部とを有している。係止爪が幅広部から挿入され、幅狭部に移動すると、当該係止爪の先端部が幅狭部の縁部に係止されるようになっている。
【００３４】
このように係止爪を係止孔の幅広部に挿入し、幅狭部に移動させるだけで、当該係止爪が当該幅狭部に係止されるようになっているので、前記接続装置のボディを基板上に簡単に取り付けることができる。
【００３５】
前記基板はロック孔を更に有する構成とすることができる。この場合、前記ボディは、係止爪の幅方向に向けて設けられており且つ先端部が基板の面上に沿って揺動可能なアーム部と、このアーム部の先端部に設けられており且つロック孔に挿入可能な係止凸部とを更に有している。ロック孔は、その一側面に設けられており且つ幅広部から幅狭部への方向に登り傾斜している山部と、山部の麓エリアと、山部を越えた谷エリアとを有している。係止爪が幅広部に挿入されると共に係止凸部が麓エリアに挿入され、その後、係止爪の前記移動に伴って、アーム部の先端部が揺動しつつ係止凸部が山部を越えると、当該係止凸部が谷エリアに落下して山部に係止される。
【００３６】
即ち、係止爪を幅広部に、係止凸部を麓エリアに各々挿入し、その後、係止爪を幅狭部に移動させると共に、係止凸部に山部を越えさせるだけで、係止爪が幅狭部に、係止凸部が山部に係止される。このように係止凸部が山部に係止されることにより、係止爪が幅広部への移動が阻止される。このため、前記接続装置のボディを基板上に簡単に取り付けることができると共に、当該ボディの位置固定を行うことができる。
【００３７】
基板上に接点パターンが設けられている場合、コンタクトは、係止爪が係止孔の幅狭部に係止された状態で、接点パターンに接触可能な接点部を更に有していることが好ましい。この場合、接続装置を係止孔に沿って移動させるだけで、コンタクトの接点部を基板の接点パターンに簡単に接続することができる。
【発明を実施するための最良の形態】
【００３８】
以下、本発明の実施の形態について説明する。
【実施例１】
【００３９】
まず、本発明の第１の実施の形態に係るアダプタ（緩衝具）を図面を参照しつつ説明する。図１は本発明の第１の実施の形態に係るアダプタの冷陰極蛍光ランプに接続された状態を示す図であって、（ａ）が概略的平面図、（ｂ）が概略的右側面図、図２は同アダプタを示す図であって、（ａ）が概略的平面図、（ｂ）が概略的右側面図、図３は同アダプタの概略的斜視図である。
【００４０】
ここに掲げるアダプタ１００は、導電性を有するコイルスプリングであって、冷陰極蛍光ランプ１０（電子部品）のリード端子１２に電気的且つ機械的に接続される第１の接続部１１０と、冷陰極蛍光ランプ１０の長さ方向に第１の接続部１１０と間隔を空けて位置する第２の接続部１２０と、第１、第２の接続部１１０、１２０の間に設けられており且つ冷陰極蛍光ランプ１０の長さ方向の熱膨張変形又は熱収縮変形に応じて弾性変形可能な弾性変形部１３０とを備えている。以下、詳しく説明する。
【００４１】
冷陰極蛍光ランプ１０は、図１に示すように、ランプ本体部１１（本体部）と、このランプ本体部１１の長さ方向の両端部に設けられた一対のリード端子１２とを有している。なお、図１においては、冷陰極蛍光ランプ１０の長さ方向の一端部のみを図示している。
【００４２】
第２の接続部１２０は、図１乃至図３に示すように、前記コイルスプリングの座巻部である。この第２の接続部１２０の内径は、冷陰極蛍光ランプ１０のランプ本体部１１の外径より若干大きくなっている。これにより、ランプ本体部１１の端部の基端部分が第２の接続部１２０に挿入可能になっている。
【００４３】
弾性変形部１３０は、図１乃至図３に示すように、第２の接続部１２０の端部に連続しており且つコイル間隔が第２の接続部１２０よりも粗である前記コイルスプリングのコイルバネ部である。この弾性変形部１３０のバネ力は、伸縮する際に、冷陰極蛍光ランプ１０のリード端子１２及びランプ本体部１１のリード端子１２の封止部に負荷が掛からないような力に設定されている。また、弾性変形部１３０の内径は、第２の接続部１２０の内径と略同じになっている。これにより、ランプ本体部１１の端部の先端部分及びリード端子１２の基端部分が弾性変形部１３０に挿入可能になっている。
【００４４】
第１の接続部１１０は、図１乃至図３に示すように、略Ｌ字状の棒状体であって、弾性変形部１３０の端部に連続し且つ前記コイルスプリングの中心に向けて折り曲げられた基端部と、この基端部に連続し且つ前記長さ方向の一端側に向けて直角に折り曲げられた先端部とを有している。この第１の接続部１１０の先端部がリード端子１２の先端部分に半田付け又は溶接等により電気的且つ機械的に接続されるようになっている。
【００４５】
このような構成のアダプタ１００は冷陰極蛍光ランプ１０に次のように接続される。まず、冷陰極蛍光ランプ１０のランプ本体部１１の端部及びリード端子１２を第２の接続部１２０及び弾性変形部１３０に挿入し、当該リード端子１２の先端部分を第１の接続部１１０の先端部に当接させる。すると、ランプ本体部１１の端部の先端部分及びリード端子１２の基端部分が弾性変形部１３０内に配置され、ランプ本体部１１の端部の基端部分が第２の接続部１２０内に配置される。
【００４６】
その後、冷陰極蛍光ランプ１０のリード端子１２と第１の接続部１１０の先端部とを半田付け又は溶接等により電気的且つ機械的に接続する。このようにしてアダプタ１００が冷陰極蛍光ランプ１０に電気的且つ機械的に接続される。
【００４７】
以下、このように冷陰極蛍光ランプ１０に接続されたアダプタ１００が接続される接続装置について図面を参照しつつ説明する。図４は本発明の第１の実施の形態に係る接続装置のアダプタ接続後であり且つ基板実装後の状態を示す概略的斜視図、図５は同装置のアダプタ接続前であり且つ基板実装前の状態を示す概略的斜視図、図６は同装置を示す図であって、（ａ）が概略的正面図、（ｂ）が概略的背面図、（ｃ）が概略的側面図、（ｄ）が概略的平面図、（ｅ）が概略的底面図、（ｆ）が背面上側から見た概略的斜視図、図７は同装置のボディを示す図であって、（ａ）が概略的正面図、（ｂ）が概略的背面図、（ｃ）が概略的側面図、（ｄ）が概略的平面図、（ｅ）が概略的底面図、（ｆ）が背面上側から見た概略的斜視図、図８は同装置のコンタクトを示す図であって、（ａ）が正面上側から見た概略的正面図、（ｂ）が背面上側から見た概略的斜視図、図９は同装置のアダプタ接続後であり且つ基板実装後の状態を示す概略的平面図であって、（ａ）が初期状態を示す図、（ｂ）が冷陰極蛍光ランプが熱膨張し弾性変形部が伸びた状態を示す図、（ｃ）が、冷陰極蛍光ランプが熱収縮し弾性変形部が縮んだ状態を示す図、図１０は同装置の基板実装過程を示す模式的底面図であって、（ａ）が、係止爪が係止孔に、係止凸部がロック孔に挿入された状態を示す図、（ｂ）がスライド移動状態を示す図、（ｃ）が係止状態を示す図である。
【００４８】
図４乃至図６に示す接続装置Ｓは、冷陰極蛍光ランプ１０が接続されたアダプタ１００が接続可能な基板２０に実装されるソケットであって、ボディ２００と、ボディ２００の内部に取り付けられるコンタクト３００とを備えている。以下、詳しく説明する。
【００４９】
基板２０は、図５に示すように、その厚み方向に貫通する長尺状の一対の係止孔２１と、この係止孔２１に連通し且つ当該基板２０を厚み方向に貫通する長尺状の一対のロック孔２２と、一対の係止孔２１の間の面上に設けられる接点パターン２３とを有している。
【００５０】
各係止孔２１は、略Ｌ字状の孔であって、係止爪２３０の先端部の厚み寸法よりも若干大きい幅広部２１ａと、ボディ２００の係止爪２３０の基端部の厚み寸法より若干大きい幅狭部２１ｂとを有している。
【００５１】
幅広部２１ａは係止爪２３０が挿脱可能な矩形状の孔である。幅狭部２１ｂは、その外側の縁部で幅広部２１ａを通じて挿入された係止爪２３０の先端部を係止する矩形状の孔である。
【００５２】
各ロック孔２２は、その幅方向の一側面に設けられており且つ幅広部２１ａから幅狭部２１ｂへの方向に登り傾斜している山部２２ａと、山部２２ａの麓エリア２２ｂと、山部２２ａを越えた谷エリア２２ｃと、麓エリア２２ｂと谷エリア２２ｃとの間に設けられる山部２２ａの頂部エリア２２ｄとを有している。
【００５３】
麓エリア２２ｂはボディ２００の係止凸部２５０が挿脱可能な孔である。谷エリア２２ｃは係止凸部２５０が嵌まり込む矩形状の孔であって、幅広部２１ａに通じている。頂部エリア２２ｄは麓エリア２２ｂと谷エリア２２ｃとを連絡する矩形状の孔である。
【００５４】
山部２２ａは、係止凸部２５０を麓エリア２２ｂから谷エリア２２ｃにかけて案内するガイド用の突起であると共に、谷エリア２２ｃに位置する当該係止凸部２５０を係止する係止用の突起でもある。この山部２２ａは、係止凸部２５０を麓エリア２２ｂから谷エリア２２ｃにかけて案内する際に、当該係止凸部２５０を押圧し、これによりボディ２００のアーム部２４０の先端部を揺動させるようになっている。
【００５５】
ボディ２００は、図４乃至図７に示すように、樹脂製の射出成型品であって、略直方体状の第１の箱体２１０と、この第１の箱体２１０の長さ方向の一端部の中央部に連続して設けられており且つ当該第１の箱体２１０よりも幅狭である略直方体状の第２の箱体２２０と、第１の箱体２１０の幅方向の両端部に下方に向けて設けられた一対の係止爪２３０と、第１の箱体２１０の長さ方向の一端部の両端部に当該長さ方向の一端側（即ち、係止爪２３０の幅方向）に向けて設けられた一対のアーム部２４０と、このアーム部２４０の先端部に下方に向けて設けられた一対の係止凸部２５０とを有している。
【００５６】
第１の箱体２１０と第２の箱体２２０とは内部同士が連通している。この第１、第２の箱体２１０、２２０の内部が、冷陰極蛍光ランプ１０のランプ本体部１１の端部、リード端子１２及びこれに接続されたアダプタ１００を収容可能な収容空間αとなっている。
【００５７】
第１の箱体２１０の長さ方向の他端部の中央部には、収容空間αに連通しており且つ冷陰極蛍光ランプ１０のランプ本体部１１の端部の基端部分が挿脱可能な開口部２１１が設けられている。
【００５８】
第１の箱体２１０の幅方向の一端側の内壁面の中央部には、図６（ｄ）、図６（ｆ）、図７（ｄ）及び図７（ｆ）に示すように、他端側に向けて設けられた仕切り壁２１２が設けられている。この仕切り壁２１２により第１の箱体２１０の内部が部分的に仕切られて
いる。仕切り壁２１２により仕切られた第１の箱体２１０の内部が、収容空間αの第１のエリアα１と第２のエリアα２となり、第２の箱体２２０の内部が第３のエリアα３となる。なお、第１のエリアα１には、後述するように、コンタクト３００のクランプ部３２０及び保持部３３０が収容される。
【００５９】
第１の箱体２１０の幅方向の他端側の内壁面は、第１のエリアα１に臨む部分が前記一端側に向けて張り出している。この張り出した部分が、コンタクト３００のクランプ部３２０との間で、アダプタ１００の第２の接続部１２０を挟持する挟持壁部２１３となっている。
【００６０】
挟持壁部２１３は、コンタクト３００のクランプ部３２０に対向する部分に複数の凸脈が上下方向に向けて設けられている。即ち、前記対向する部分が、アダプタ１００の第２の接続部１２０の長さ方向への移動を抑止する凹凸面２１３ａ（即ち、ストッパ）となっている。
【００６１】
また、第１の箱体２１０の下端部には、図６（ｅ）及び図７（ｅ）に示すように、凹部２１４が設けられている。この凹部２１４の長さ方向の両端部には、コンタクト３００のベース板３１０の両端部が各々圧入される一対のスリット２１４ａが設けられている。また、凹部２１４は、その底板部に矩形状の孔部２１４ｂが設けられ、収容空間αの第１のエリアα１と通じている。
【００６２】
即ち、コンタクト３００のベース板３１０が一対のスリット２１４ａに圧入された状態で、当該コンタクト３００のクランプ部３２０及び保持部３３０が孔部２１４ｂを通じて、第１のエリアα１に挿入されるようになっている。なお、収容空間αと凹部２１４とが特許請求の範囲の収容部に相当する。
【００６３】
各係止爪２３０は、第１の箱体２１０の凹部２１４の縁部に下方に向けて設けられた基端部と、この基端部に略直角であり且つ外側の角部が斜めに切り落とされた先端部とを有する略Ｌ字状の板状体である。この係止爪２３０は、基板２０の係止孔２１に挿入される。
【００６４】
各アーム部２４０は、第２の箱体２２０の側面と間隙を有しており且つ当該側面に対して平行に延びる略矩形状の板状体である。このアーム部２４０は、その先端部が第２の箱体２２０の幅方向に向けて揺動可能になっている。
【００６５】
各係止凸部２５０は略円柱状の突起であって、基板２０のロック孔２２に挿入可能になっている。
【００６６】
コンタクト３００は、図８に示すように、導電性を有する金属板をプレス成型したものであって、略矩形状のベース板３１０と、このベース板３１０の上端部の中央部に設けられた板状のクランプ部３２０と、ベース板３１０の上端部のクランプ部３２０の一端側に設けられた保持部３３０と、ベース板３１０の上端部のクランプ部３２０の他端側に設けられた一対の接点部３４０とを有している。
【００６７】
ベース板３１０の長さ方向の両端部には、一対の突起３１１が設けられている。この一対の突起３１１を含めたベース板３１０の長さ寸法が、ボディ２００の凹部２１４の一対のスリット２１４ａの奥側面の間の距離よりも若干大きくなっている。このため、ベース板３１０の両端部が一対のスリット２１４ａに圧入され、凹部２１４に収容保持されるようになっている。
【００６８】
一対の接点部３４０は、ベース板３１０から略直角に折り曲げられた板状の水平部３４１と、この水平部３４１から斜め下方に向けて折り曲げられた略逆Ｖ字状の板状の接点部本体３４２とを各々有している。接点部本体３４２の高さ寸法は、図６（ａ）及び図６（ｂ）に示すように、ベース板３１０が凹部２１４に保持された状態で、当該凹部２１４から下方に突出する高さに設定されている。即ち、接点部本体３４２が基板２０の接点パターン２３に弾性変形可能になっている。
【００６９】
クランプ部３２０は、その中間部が略Ｖ字状に折り曲げられ且つ先端部が折曲方向に向けて傾斜した板状体である。このクランプ部３２０は、ベース板３１０が凹部２１４に保持された状態で、孔部２１４ｂを通じて収容空間αの第１のエリアα１に挿入され、収容される。この収容状態で、クランプ部３２０は、その中間部と第１のエリアα１内の挟持壁部２１３の挟持壁部２１３の凸凹面２１３ａとの間の距離が、アダプタ１００の第２の接続部１２０の外径よりも小さく設定されている。これにより、クランプ部３２０の中間部と挟持面２１３ａの凸凹面２１３ａとの間でアダプタ１００の第２の接続部１２０が挟持されるようになっている。
【００７０】
保持部３３０は、その中間部が略Ｖ字状に折り曲げられ且つ先端部が折曲方向に向けて傾斜した板状体であって、その幅寸法がクランプ部３２０の幅寸法より小さくなっている。保持部３３０は、ベース板３１０が凹部２１４に保持された状態で、孔部２１４ｂを通じて収容空間αの第１のエリアα１に挿入され、収容される。この収容状態で、保持部３３０は、その中間部から挟持壁部２１３に向けて延びる第１の仮想直線がボディ２００の開口部２１１の縁部の面からボディ２００の長さ方向に向けて延びる第２の仮想直線に交わるまでの当該第１の仮想直線の距離が、冷陰極蛍光ランプ１０のランプ本体部１１の外径よりも小さく設定されている。これにより、保持部３３０の中間部とボディ２００の開口部２１１の縁部との間で冷陰極蛍光ランプ１０のランプ本体部１１が挟持されるようになっている。このように保持部３３０の中間部とボディ２００の開口部２１１の縁部との間で冷陰極蛍光ランプ１０のランプ本体部１１を挟持することにより、ランプ本体部１１の振動等を押さえることができ、当該振動による負荷が冷陰極蛍光ランプ１０全体（特に、冷陰極蛍光ランプ１０のリード端子１２及びランプ本体部１１のリード端子１２の封止部）に掛かったり、前記振動によりランプ本体部１１がアダプタ１００に衝突したりするのを抑止することができる。
【００７１】
以下、このような構成の接続装置Ｓの組み立て手順及び基板実装の手順について説明する。まず、コンタクト３００のクランプ部３２０及び保持部３３０をボディ２００の凹部２１４の孔部２１４ｂに位置合わせをしつつ挿入する。そして、コンタクト３００のベース板３１０の両端部をボディ２００の凹部２１４の一対のスリット２１４ａに圧入する。すると、クランプ部３２０及び保持部３３０が収容空間αの第１のエリアα１に収容されると共に、ベース板３１０及び一対の接点部３４０が凹部２１４に収容される。
【００７２】
その後、図１０（ａ）に示すように、ボディ２００の一対の係止爪２３０を基板２０の一対の係止孔２１の幅広部２１ａに、一対の係止凸部２５０を一対のロック孔２２の麓エリア２２ｂに各々位置合わせをしつつ挿入する。このとき、コンタクト３００の一対の接点部３４０の接点部本体３４２が基板２０の面上に弾性接触する。
【００７３】
その後、図１０（ｂ）に示すように、一対の係止爪２３０を一対の係止孔２１の幅広部２１ａから幅狭部２１ｂに向けて移動させる。
【００７４】
これと共に、一対の係止凸部２５０を一対のロック孔２２の麓エリア２２ｂから山部２２ａに向けて移動させる。すると、一対の係止凸部２５０が一対のロック孔２２の山部２２ａに押圧されつつ案内される。これにより、一対のアーム部２４０の先端部が基板２０
の面上に沿って揺動する。
【００７５】
その後、図１０（ｃ）に示すように、一対の係止爪２３０が一対の係止孔２１の幅狭部２１ｂに到達すると、当該幅狭部２１ｂの外側の縁部に係止される。
【００７６】
これと共に、一対の係止凸部２５０が一対のロック孔２２の山部２２ａを越え、頂部エリア２２ｄを通過する。すると、山部２２ａの一対の係止凸部２５０に対する押圧が解除され、一対のアーム部２４０が自身の弾性力により揺動状態から復帰する。これにより一対の係止凸部２５０が谷エリア２２ｃに落下し、山部２２ａに係止される。
【００７７】
このとき、コンタクト３００の接点部３４０が基板２０上を摺動し、接点パターン２３に弾性的に接触する。
【００７８】
このように一対の係止凸部２５０が山部２２ａに係止されることにより、一対の係止爪２３０が一対の係止孔２１の幅狭部２１ｂから幅広部２１ａへの移動が防止される。これにより、ボディ２００が基板２０に取り付けられた状態が維持される。
【００７９】
なお、ボディ２００を基板２０から取り外すときには、一対の係止孔２１から基板２０の底面側に突出した一対の係止凸部２５０を指で把持し内側に押圧する。すると、一対の係止凸部２５０と一対の山部２２ａとの係止が外れる。この状態で、一対の係止凸部２５０を一対の山部２２ａを越えて一対の麓エリア２２ｂに移動させる。これと共に、一対の係止爪２３０を一対の係止孔２１の幅狭部２１ｂから幅広部２１ａに移動させる。その後、一対の係止凸部２５０を一対のロック孔２２の麓エリア２２ｂから上方に引き抜くと共に、一対の係止爪２３０を一対の係止孔２１の幅広部２１ａから上方に引き抜くことにより、ボディ２００を基板２０から簡単に取り外すことができる。
【００８０】
以下、上述のように基板２０に実装された接続装置Ｓに、上述の如く冷陰極蛍光ランプ１０に接続されたアダプタ１００を接続する手順及び取り外す手順について説明する。まず、アダプタ１００の第２の接続部１２０をボディ２００の収容空間α内のコンタクト３００のクランプ部３２０の先端部上に位置合わせをしつつ設置する。すると、冷陰極蛍光ランプ１０のランプ本体部１１の端部がコンタクト３００の保持部３３０の先端部上に設置される。
【００８１】
その後、冷陰極蛍光ランプ１０のランプ本体部１１の端部及びアダプタ１００をボディ２００の収容空間αに押し込む。すると、コンタクト３００のクランプ部３２０の先端部がアダプタ１００の第２の接続部１２０に押圧され、収容空間α内の挟持壁部２１３から離れる方向に弾性変形する。
【００８２】
これと共に、コンタクト３００の保持部３３０の先端部が冷陰極蛍光ランプ１０のランプ本体部１１の端部に押圧され、収容空間α内の挟持壁部２１３から離れる方向に弾性変形する。
【００８３】
その後、アダプタ１００の第２の接続部１２０がクランプ部３２０の中間部に嵌まり込むと、クランプ部３２０が自身の弾性力により収容空間α内の挟持壁部２１３に近づく方向に復帰移動する。これにより第２の接続部１２０がクランプ部３２０の中間部と挟持壁部２１３の凸凹面２１３ａとの間で挟持される。このように第２の接続部１２０がクランプ部３２０と挟持壁部２１３の凸凹面２１３ａとの間で挟持されることにより、アダプタ１００とコンタクト３００とが電気的且つ機械的に接続される。
【００８４】
これと共に、冷陰極蛍光ランプ１０のランプ本体部１１の端部が保持部３３０の中間部に嵌まり込むと、保持部３３０が自身の弾性力により収容空間α内の挟持壁部２１３に近づく方向に復帰移動する。これによりランプ本体部１１の端部が保持部３３０の中間部とボディ２００の開口部２１１の縁部との間で挟持される。
【００８５】
このようにアダプタ１００及び冷陰極蛍光ランプ１０が接続装置Ｓに電気的且つ機械的に接続された状態で、図９（ｂ）に示すように、冷陰極蛍光ランプ１０がその長さ方向に熱膨張変形すると、アダプタ１００の弾性変形部１３０が伸び、アダプタ１００の第１の接続部１１０が冷陰極蛍光ランプ１０のリード端子１２と共に前記長さ方向の図示右側に移動する。
【００８６】
一方、図９（ｃ）に示すように、冷陰極蛍光ランプ１０がその長さ方向に熱収縮変形すると、アダプタ１００の弾性変形部１３０が縮み、アダプタ１００の第１の接続部１１０が冷陰極蛍光ランプ１０のリード端子１２と共に前記長さ方向の図示左側に移動する。
【００８７】
このとき、挟持壁部２１３の凸凹面２１３ａがアダプタ１００の第２の接続部１２０を係止し、当該第２の接続部１２０が冷陰極蛍光ランプ１０のランプ本体部１１の熱膨張変形又は熱収縮変形に伴って前記長さ方向に移動するのを抑止する。
【００８８】
アダプタ１００及び冷陰極蛍光ランプ１０を接続装置Ｓから取り外すときには、アダプタ１００及び冷陰極蛍光ランプ１０を上方に持ち上げる。すると、コンタクト３００のクランプ部３２０の中間部の上端部がアダプタ１００の第２の接続部１２０に押圧され、収容空間α内の挟持壁部２１３から離れる方向に弾性変形する。これと共に、コンタクト３００の保持部３３０の中間部の上端部が冷陰極蛍光ランプ１０のランプ本体部１１の端部に押圧され、収容空間α内の挟持壁部２１３から離れる方向に弾性変形する。
【００８９】
その後、アダプタ１００の第２の接続部１２０がクランプ部３２０の中間部の上端部を越え、冷陰極蛍光ランプ１０のランプ本体部１１の端部が保持部３３０の中間部の上端部を越えると、アダプタ１００及び冷陰極蛍光ランプ１０が接続装置Ｓから上方に取り出される。
【００９０】
このようにアダプタ１００を用いて、冷陰極蛍光ランプ１０と接続装置Ｓとを電気的且つ機械的に接続する場合、第１の接続部１１０が冷陰極蛍光ランプ１０のリード端子１２に機械的に接続され、且つ第２の接続部１２０が接続装置Ｓのコンタクト３００のクランプ部３２０とボディ２００の挟持壁部２１３との間で挟持された状態で、冷陰極蛍光ランプ１０が熱膨張変形又は熱収縮変形したとしても、アダプタ１００の弾性変形部１３０が前記熱膨張変形又は熱収縮変形に伴って伸縮し、当該熱膨張変形又は熱収縮変形を吸収するようになっている。このため、従来例の如く、冷陰極蛍光ランプ１０のランプ本体部１１の端部及びリード端子１２が、熱膨張変形又は熱収縮変形により、接続装置Ｓに取り付けられたアダプタ１００に押し付けられたり引き剥がされたりするのを防止することができるので、熱膨張変形又は熱収縮変形の際に、冷陰極蛍光ランプ１０に掛かる負荷を低減することができる。
【実施例２】
【００９１】
以下、本発明の第２の実施の形態に係るアダプタ（緩衝具）を図面を参照しつつ説明する。図１１は本発明の第２の実施の形態に係るアダプタの冷陰極蛍光ランプに接続された状態を示す図であって、（ａ）が概略的正面図、（ｂ）が概略的左側面図、図１２は同アダプタを示す図であって、（ａ）が正面図、（ｂ）が背面図、（ｃ）が平面図、（ｄ）が底面図、（ｅ）が左側面図、（ｆ）斜視図、図１３は同アダプタがコンタクトに挟持された状態を示す模式的側面図であって、（ａ）が冷陰極蛍光ランプの熱膨張又は熱収縮前の状態を示す図、（ｂ）が冷陰極蛍光ランプが熱膨張し弾性変形部が伸びた状態を示す図、（ｃ）が冷陰極蛍光ランプが熱収縮し弾性変形部が縮んだ状態を示す図である。
【００９２】
ここに掲げるアダプタ４００は、導電性を有する金属板をプレス成型することにより作成されたプレス成型品であって、冷陰極蛍光ランプ１０のリード端子１２に電気的且つ機械的に接続される第１の接続部４１０と、冷陰極蛍光ランプ１０の長さ方向に第１の接続部４１０と間隔を空けて位置する第２の接続部４２０と、第１、第２の接続部４１０、４２０の間に設けられており且つ冷陰極蛍光ランプ１０の長さ方向の熱膨張変形又は熱収縮変形に応じて弾性変形可能な弾性変形部４３０とを備えている。以下、詳しく説明する。なお、図１１及び図１３において、冷陰極蛍光ランプ１０の一端部のみが表されている。
【００９３】
第１の接続部４１０は、図１１及び図１２に示すように、断面視略Ｌ字状の板体であって、略矩形状の第１の板部４１１と、この第１の板部４１１に対して略直角に折り曲げられた略半円状の第２の板部４１２と、第２の板部４１２の頂部に連続する断面視略１／４円弧状の第３の板部４１３とを有している。
【００９４】
第２の板部４１２の下端部（即ち、第１の板部側の部分）には、リード端子１２が挿入可能な略半円形の挿入孔４１２ａが設けられている。
【００９５】
第１の板部４１１の中央部の後端部（第２の板部側の部分）には、挿入孔４１２ａに連続する略矩形状の孔部４１１ａが設けられている。また、第１の板部４１１の中央部の先端部にはその全長さ方向に渡る窪み４１１ｂが設けられている。窪み４１１ｂは、リード端子１２の外径に対応した略半円弧状の凹部であって、孔部４１１ａに連通している。即ち、窪み４１１ｂは孔部４１１ａを通じて挿入孔４１２ａに連通しており、当該挿入孔４１２ａに挿入されたリード端子１２が嵌合するようになっている。
【００９６】
第２の接続部４２０は、幅方向の両端面同士が対向するように湾曲させられた円筒状の板体であって、その内径が冷陰極蛍光ランプ１０のランプ本体部１１の外径よりも若干大きくなっている。即ち、第２の接続部４２０内にランプ本体部１１の端部が挿入可能になっている。
【００９７】
弾性変形部４３０は、その内径が第２の接続部４２０の内径と同じである円筒状の板体を部分的に切り欠いたものであって、第２の接続部４２０の頂部の先端に連続するベース板４３１と、ベース板４３１と第１の接続部４１０の第３の板部４１３との間に間隔を空けて配置される第１、第２の連結板４３２、４３３と、ベース板４３１と第１の連結板４３２との間、第１の連結板４３２と第２の連結板４３３との間及び第２の連結板４３３と第３の板部４１３との間に各々配設される三つの変形部４３４とを備えている。なお、前記板体のベース板４３１及び第１、第２の連結板４３２、４３３及び三つの変形部４３４以外の部分が切り欠かれた部分である。
【００９８】
ベース板４３１及び第１、第２の連結板４３２、４３３は略矩形状の板体である。
【００９９】
一つの変形部４３４は、ベース板４３１の先端部の両端と第１の連結板４３２の後端部の両端との間に各々設けられる側面視略Ｕ字状の一対の湾曲部４３４ａを有している。この湾曲部４３４ａは、ベース板４３１の先端部の両端及び第１の連結板４３２の後端部の両端に各々連続する両端部と、この両端部同士を繋ぐ円弧状の頂部とを各々有する。湾曲部４３４ａは、前記頂部同士が互いに対向するように略半円弧状に湾曲しており、前記両端部が互いに離れる方向又は近づく方向に弾性変形可能になっている（即ち、伸縮可能になっている。）。
【０１００】
他の二つの変形部４３４は、湾曲部４３４ａが第１の連結板４３２の先端部の両端と第２の連結板４３３の後端部の両端との間又は第２の連結板４３３の先端部の両端と第３の板部４１３の上端部の両端との間に各々設けられている以外、前述の一つの変形部４３４と同じである。なお、三つの変形部４３４のバネ力は、伸縮する際に、冷陰極蛍光ランプ１０のリード端子１２及びランプ本体部１１のリード端子１２の封止部に負荷が掛からないような力に設定されている。
【０１０１】
このような構成のアダプタ４００は次のように冷陰極蛍光ランプ１０に接続される。まず、冷陰極蛍光ランプ１０のランプ本体部１１の端部及びリード端子１２を第２の接続部４２０及び弾性変形部４３０に挿入する。そして、リード端子１２を第１の接続部４１０の挿入孔４１２ａに挿入し、窪み４１１ｂに嵌合させる。
【０１０２】
この状態で、冷陰極蛍光ランプ１０のリード端子１２と第１の接続部４１０の第１の板部４１１とを半田付け又は溶接等により電気的且つ機械的に接続する。
【０１０３】
このようにして冷陰極蛍光ランプ１０が接続されたアダプタ４００は、実施例１の接続装置Ｓの収容空間αに挿入され、第２の接続部４２０が接続装置Ｓのコンタクト３００クランプ部３２０の中間部とボディ２００の挟持壁部２１３との間で挟持される。この状態で、図１３（ｂ）に示すように、冷陰極蛍光ランプ１０がその長さ方向に熱膨張変形すると、アダプタ４００の弾性変形部４３０の各湾曲部４２４ａの両端部が互いに離れる方向に弾性変形し（即ち、弾性変形部４３０が伸び）、当該アダプタ４００の第１の接続部４１０が冷陰極蛍光ランプ１０のリード端子１２と共に前記長さ方向の図示右側に移動する。
【０１０４】
一方、図１３（ｃ）に示すように、冷陰極蛍光ランプ１０がその長さ方向に熱収縮変形すると、アダプタ４００の弾性変形部４３０の各湾曲部４２４ａの両端部が互いに近づく方向に弾性変形し（即ち、弾性変形部４３０が縮み）、当該アダプタ４００の第１の接続部４１０が冷陰極蛍光ランプ１０のリード端子１２と共に前記長さ方向の図示左側に移動する。
【０１０５】
このようにアダプタ４００を用いて、冷陰極蛍光ランプ１０と接続装置Ｓとを電気的且つ機械的に接続する場合、第１の接続部４１０が冷陰極蛍光ランプ１０のリード端子１２に機械的に接続され、且つ第２の接続部４２０が接続装置Ｓのコンタクト３００のクランプ部３２０とボディ２００の挟持壁部２１３との間で挟持された状態で、冷陰極蛍光ランプ１０が熱膨張変形又は熱収縮変形したとしても、アダプタ４００の弾性変形部４３０が前記熱膨張変形又は熱収縮変形に伴って伸縮し、当該熱膨張変形又は熱収縮変形を吸収するようになっている。このため、従来例の如く、冷陰極蛍光ランプ１０のランプ本体部１１の端部及びリード端子１２が、前記熱膨張変形又は熱収縮変形により、接続装置Ｓに接続されたアダプタ４００に対して押し付けられたり引き剥がされたりするのを防止することができるので、前記熱膨張変形又は熱収縮変形の際に、冷陰極蛍光ランプ１０に掛かる負荷を低減することができる。
【実施例３】
【０１０６】
以下、本発明の第３の実施の形態に係るアダプタ（緩衝具）を図面を参照しつつ説明する。図１４は本発明の第３の実施の形態に係るアダプタが熱陰極蛍光ランプに接続された状態を示す図であって、（ａ）が概略的正面図、（ｂ）が概略的平面図、（ｃ）が概略的右側面図、図１５は同アダプタを示す図であって、（ａ）が正面上方から見た斜視図、（ｂ）が背面上方から見た概略的斜視図である。
【０１０７】
ここに掲げるアダプタ５００は、熱陰極蛍光ランプ３０の二本のリード端子３２に各々接続されるものである。このアダプタ５００は、導電性を有する金属板をプレス成型することにより作成されたプレス成型品であって、熱陰極蛍光ランプ３０のリード端子３２に電気的且つ機械的に接続される第１の接続部５１０と、熱陰極蛍光ランプ３０の長さ方向に第１の接続部５１０と間隔を空けて位置する断面視略半円弧状の第２の接続部５２０と、第１の接続部５１０と第２の接続部５２０との間に設けられており且つ熱陰極蛍光ランプ３０の長さ方向の熱膨張変形又は熱収縮変形に応じて弾性変形可能な弾性変形部５３０とを備えている。以下、詳しく説明する。
【０１０８】
熱陰極蛍光ランプ３０は、図１４に示すように、ランプ本体部３１と、このランプ本体部３１の長さ方向の両端面から各々突出する二本のリード端子３２とを有する周知のものである。なお、図１４においては、熱陰極蛍光ランプ３０の一端部のみが表されている。
【０１０９】
第１の接続部５１０は、図１４及び図１５に示すように、平面視略Ｌ字状の板体であって、略矩形状の第１の板部５１１と、この第１の板部５１１に対して略直角に折り曲げられた略矩形状の第２の板部５１２とを有している。
【０１１０】
第２の板部５１２の基端部にはリード端子３２が挿入可能な略矩形状の挿入孔５１２ａが設けられている。
【０１１１】
第１の板部５１１は挿入孔５１２ａに挿入されたリード端子３２が半田や溶接等により接続される部分である。第１の板部５１１の基端部には、挿入孔５１２ａに連通する矩形状の孔部は５１１ａが設けられている。
【０１１２】
弾性変形部５３０は、図１４（ｃ）及び図１５に示すように、略矩形状の板体を部分的に切り欠いたものであって、側面視略Ｓ字状の板体である変形部本体５３１と、この変形部本体５３１の一端部と第１の接続部５１０の第２の板部５１２との間を連結する断面視略１／４円弧状の第１の連結板５３２と、変形部本体５３１の他端部と第２の接続部５２０の頂部の先端とを連結する略矩形状の第２の連結板５３３とを有する。なお、前記板体の変形部本体５３１及び第１、第２の連結板５３２、５３３以外の部分が切り欠かれた部分である。
【０１１３】
変形部本体５３１は、第１の連結板５３２と第２の連結板５３３とが互いに離れる方向又は近づく方向（即ち、熱陰極蛍光ランプ３０の長さ方向）に弾性変形可能になっている。即ち、変形部本体５３１が伸縮可能になっている。この変形部本体５３１のバネ力は、伸縮する際に、熱陰極蛍光ランプ３０のリード端子３２及びランプ本体部３１のリード端子３２の封止部に負荷が掛からないような力に設定されている。
【０１１４】
このような構成のアダプタ５００は次のように熱陰極蛍光ランプ３０に接続される。まず、熱陰極蛍光ランプ３０の一方のリード端子３２を第１の接続部５１０の挿入孔５１２ａに後方から挿入する。そして、リード端子３２を第１の接続部５１０の第１の板部５１１に当接させる。この状態で、リード端子３２を第１の板部５１１に半田や溶接等により電気的且つ機械的に接続する。熱陰極蛍光ランプ３０の他方のリード端子３２についても、同様に別のアダプタ５００の第１の板部５１１に電気的且つ機械的に接続する。このようにして熱陰極蛍光ランプ３０の二本のリード端子３２に二個のアダプタ５００が接続される。
【０１１５】
このように熱陰極蛍光ランプ３０に接続された二個のアダプタ５００は次のような接続装置Ｓ’に接続される。以下、この接続装置Ｓ’ついて説明する。図１６は本発明の第３の実施の形態に係る接続装置の基板に実装され且つアダプタ及び熱陰極蛍光ランプが接続された状態を示す概略的正面図、図１７は同装置を示す図であって、（ａ）が概略的正面図、（ｂ）が概略的背面図、（ｃ）が概略的平面図、（ｄ）が概略的底面図、（ｅ）が概略的側面図、図１８は同装置のコンタクトを示す図であって、（ａ）が正面上方から見た概略的斜視図、（ｂ）が背面上方から見た概略的斜視図、図１９は同装置のコンタクトにアダプタ及び熱陰極蛍光ランプが挟持された状態を示す模式的側面図であって、（ａ）が熱陰極蛍光ランプの熱膨張又は熱収縮前の状態を示す図、（ｂ）が熱陰極蛍光ランプが熱膨張し弾性変形部が伸びた状態を示す図、（ｃ）が熱陰極蛍光ランプが熱収縮し弾性変形部が縮んだ状態を示す図である。
【０１１６】
図１６及び図１７に示す接続装置Ｓ’は、ボディ６００と、このボディ６００に収容される二個のコンタクト７００とを備えている。
【０１１７】
ボディ６００は、絶縁性を有する樹脂を射出成型することにより作成された略長方形の箱体であって、図１７に示すように、略長方形の底板部６１０と、この底板部６１０の長さ方向の一端部上に設けられた前板部６２０と、底板部６１０の長さ方向の他端部上に設けられた後板部６３０と、底板部６１０の幅方向の両端部上に各々設けられた一対の側板部６４０と、底板部６１０の後板部６３０の前方に配設された支持部６５０と、この支持部６５０の両側に設けられた一対のコンタクト収容部６７０とを有している。
【０１１８】
底板部６１０上の前板部６２０、後板部６３０及び一対の側板部６４０で区画された空間が熱陰極蛍光ランプ３０の端部及びこれに接続された二個のアダプタ５００が収容される収容空間αとなっている。
【０１１９】
前板部６２０は、図１７（ｂ）及び図１７（ｃ）に示すように、略Ｕ字状の凹部６２１が設けられている。この凹部６２１は、アダプタ５００と共に収容される熱陰極蛍光ランプ３０との干渉を避けるための凹部である。
【０１２０】
後板部６３０には、図１７（ａ）及び図１７（ｃ）に示すように、熱陰極蛍光ランプ３０のランプ本体部３１を収容するランプ収容凹部６３１が設けられている。
【０１２１】
支持部６５０は、図１７（ｃ）に示すように、二個のアダプタ５００及び熱陰極蛍光ランプ３０のランプ本体部３１が載置される台座である。
【０１２２】
各コンタクト収容部６７０は、図１７（ｃ）及び図１７（ｄ）に示すように、ボディ６００を高さ方向に貫通する収容孔部６７１と、この収容孔部６７１に連通するように設けられたスリット６７２とを各々有する。
【０１２３】
スリット６７２は、底板部６１０の下面に開口しており且つその幅寸法がコンタクト７００の圧入板７１０の幅寸法よりも若干小さくなっている。即ち、コンタクト７００の圧入板７１０が下方からスリット６７２に圧入され、コンタクト７００のクランプ部７２０が収容孔部６７１に収容されるようになっている。
【０１２４】
各側板部６４０の上端部のコンタクト収容部６７０の外側部位には、図１７（ｃ）及び図１７（ｅ）に示すように、当該コンタクト収容部６７０に収容されたコンタクト７００が外側に変位したときに当該コンタクト７００との干渉を避けるための切欠き部６４１が設けられている。
【０１２５】
底板部６１０の下面には、図１７（ｄ）に示すように、基板４０の図示しない凹部に嵌まり込む凸部６１１が設けられている。
【０１２６】
各コンタクト７００は、図１６及び図１８に示すように、導電性を有する金属板をプレス成型することにより作成されたものであって、圧入板７１０と、この圧入板７１０の上端部から延びたクランプ部７２０と、圧入板７１０の下端部から延びた接続部７３０とを各々有している。
【０１２７】
圧入板７１０の両端部には、外側に凸の一対の係止片７１１が設けられている。この一対の係止片７１１を含めた圧入板７１０の幅寸法がボディ６００のコンタクト収容部６７０のスリット６７２の幅寸法よりも若干大きくなっている。これにより、圧入板７１０がスリット６７２に圧入されるようになっている。
【０１２８】
接続部７３０は、下向き略Ｕ字状の部位であって、基板４０の長孔状の係止孔４１（図１６参照）に係止可能な一対の係止アーム７３１を有している。この係止アーム７３１は基板４０の図示しない電極パターンに接続される。
【０１２９】
クランプ部７２０は、その先端部に略Ｌ字状に折り曲げられた折曲部７２１を有している。
【０１３０】
二つの折曲部７２１が二個のアダプタ５００の第２の接続部５２０に各々弾性的に接触することにより、当該アダプタ５００及び熱陰極蛍光ランプ３０を支持部６５０との間で挟持するようになっている。
【０１３１】
以下、このような構成の接続装置Ｓ’の組み立て手順及び基板４０への実装手順について説明する。まず、二個のコンタクト７００をボディ６００の一対のコンタクト収容部６７０の収容孔部６７１に各々下方から挿入する。そして、コンタクト７００の圧入板７１０をコンタクト収容部６７０のスリット６７２に各々圧入する。これにより、コンタクト７００のクランプ部７２０が収容孔部６７１に各々収容される。
【０１３２】
このように二個のコンタクト７００が取り付けられたボディ６００の凸部６１１を基板４０の図示しない凹部に嵌合させる。これと共に、二個のコンタクト７００の接続部７３０を基板４０の係止孔４１に挿入する。すると、接続部７３０の一対の係止アーム７３１の爪部が基板４０の係止孔４１の下面の両縁部に各々係止される。その後、係止アーム７３１を基板４０の上記電極パターンに半田付け等で接続する。このようにして接続装置Ｓ’が基板４０上に実装される。
【０１３３】
以下、このように基板４０に実装された接続装置Ｓ’に、上述の如く熱陰極蛍光ランプ３０に接続された二個のアダプタ５００を接続する手順について説明する。まず、熱陰極蛍光ランプ３０の端部及び二個のアダプタ５００を接続装置Ｓ’の収容空間αに収容させる。これと共に、熱陰極蛍光ランプ３０のランプ本体部３１がランプ収容凹部６３１に収容される。
【０１３４】
このとき、二個のアダプタ５００の第２の接続部５２０及びランプ本体部３１が二個のコンタクト７００の間に挿入される。すると、コンタクト７００のクランプ部７２０の折曲部７２１が第２の接続部５２０に外側に向けて各々押圧される。これにより、クランプ部７２０が互いに離れる方向に弾性変形する。
【０１３５】
第２の接続部５２０が折曲部７２１を各々乗り越えると、クランプ部７２０が自身のバネ力により互いに近づく方向に弾性変形する。これにより、折曲部７２１が第２の接続部５２０に各々弾性的に接触し、当該アダプタ５００及び熱陰極蛍光ランプ３０を支持部６５０との間で挟持する。このようにして二個のアダプタ ５００の第２の接続部５２０が二個のコンタクト７００のクランプ部７２０に各々電気的且つ機械的に接続される。
【０１３６】
この状態で、図１９（ｂ）に示すように、熱陰極蛍光ランプ３０がその長さ方向に熱膨張変形すると、熱陰極蛍光ランプ３０の二本のリード端子３２及び二個のアダプタ５００の第１の接続部５１０が図示右側に移動する。このとき、アダプタ５００の弾性変形部５３０の変形部本体５３１が、第１の連結部５３２と第２の連結部５３３とが互いに離れる方向に各々弾性変形する（即ち、伸びる）。この弾性変形部５３０の弾性変形により熱陰極蛍光ランプ３０の熱膨張変形が吸収される。
【０１３７】
一方、図１９（ｃ）に示すように、熱陰極蛍光ランプ３０がその長さ方向に熱収縮変形すると、熱陰極蛍光ランプ３０の二本のリード端子３２及び二個のアダプタ５００の第１の接続部５１０が図示左側に移動する。このとき、二個のアダプタ５００の弾性変形部５３０の変形部本体５３１が、第１の連結部５３２と第２の連結部５３３とが互いに近づく方向に各々弾性変形する（即ち、縮む）。この弾性変形部５３０の弾性変形により熱陰極蛍光ランプ３０の熱収縮が吸収される。
【０１３８】
二個のアダプタ５００及び熱陰極蛍光ランプ３０を接続装置Ｓ’から取り外すときには、アダプタ５００及び熱陰極蛍光ランプ３０を上方に持ち上げる。すると、二個のアダプタ５００の第２の接続部５２０により二個のコンタクト７００の折曲部７２１が各々押圧される。これにより、同コンタクト７００のクランプ部７２０が互いに離れる方向に弾性変形する。そして、第２の接続部５２０が折曲部７２１を各々乗り越えることにより、アダプタ５００が接続装置Ｓ’から取り外される。
【０１３９】
このようにアダプタ５００を用いて熱陰極蛍光ランプ３０と接続装置Ｓ’とを電気的且つ機械的に接続する場合、二個のアダプタ５００の第１の接続部５１０が熱陰極蛍光ランプ３０の二本のリード端子３２に電気的且つ機械的に各々接続され、且つ同アダプタ５００の第２の接続部５２０が接続装置Ｓ’の二個のコンタクト７００に挟持された状態で、熱陰極蛍光ランプ３０が熱膨張変形又は熱収縮変形したとしても、アダプタ５００の弾性変形部５３０が前記熱膨張変形又は熱収縮変形に伴って各々伸縮し、当該熱膨張変形又は熱収縮変形を吸収するようになっている。このため、従来例の如く、熱陰極蛍光ランプ３０のランプ本体部３１の端部及びリード端子３２が、前記熱膨張変形又は熱収縮変形により、接続装置Ｓ’に接続されたアダプタ５００に対して押し付けられたり引き剥がされたりするのを防止することができるので、前記熱膨張変形又は熱収縮変形の際に、熱陰極蛍光ランプ３０に掛かる負荷を低減することができる。
【０１４０】
なお、アダプタ１００、４００、５００については、電子部品のリード端子と同部品の接続装置のコンタクトとを接続するアダプタであって、リード端子に電気的且つ機械的に接続される第１の接続部と、電子部品の長さ方向に第１の接続部と間隔を空けて位置しており且つコンタクトに電気的且つ機械的に接続可能な第２の接続部と、第１、第２の接続部の間に設けられており且つ電子部品の長さ方向の熱膨張変形又は熱収縮変形に応じて弾性変形可能な弾性変形部とを備えている限り任意に設計変更することが可能である。なお、図２０は第１の実施例のアダプタの設計変更例を示す概略的斜視図、図２１は（ａ）が第２の実施例のアダプタの設計変更例を示す概略的斜視図、（ｂ）が第２の実施例のアダプタの別の設計変更例を示す概略的斜視図、図２２は第３の実施例のアダプタの設計変更例を示す概略図であって、（ａ）が側面図、（ｂ）が平面図である。
【０１４１】
また、第１の接続部１１０、４１０、５１０については、前記リード端子に半田付け又は溶接により電気的且つ機械的に接続可能な部位である限り任意に設計変更することが可能である。例えば、第１の接続部は前記リード端子が挿入可能なコイル体（図１１参照）や円弧体とすることも可能である。なお、第１の接続部とリード端子との接続として、半田付け又は溶接を例に挙げたが、電気的且つ機械的に接続し得るものである限りどのような接続手法を用いても構わない。
【０１４２】
第１の接続部４１０、５１０については、少なくともリード端子が挿入される挿入孔が設けられていれば良い。窪み４１１ｂについては設けるか否かは任意である。また、窪み４１１ｂは第１の接続部５１０等の他の形状の第１の接続部にも設けることが可能である。
【０１４３】
第２の接続部１２０、４２０、５２０については、コンタクトに電気的且つ機械的に接続可能な部位である限り任意に設計変更することが可能である。例えば、電子部品の本体部の端部が挿入可能な前記座巻部以外の円形や三角形、五角形等の多角形等のその他の筒状体とすることもできるし、電子部品の本体部に対向する板状体や棒状体とすることができる。後者の場合、第２の接続部は、コンタクトとボディとの間でランプ本体部と共に挟持されるようにしても良いし、コンタクトにランプ本体部と共に挟持されるようにしても良い。また、第２の接続部は、ランプ本体部１１に対向している必要はなく、ランプ本体部１１の反対側に第１の接続部と間隔を空けて位置するようにしても良い。
【０１４４】
また、第２の接続部４２０の後端には、図２１に示すように、スカート部４４０やフランジ部４５０等の他の部材を更に設けることが可能である。同様に、第２の接続部１２０、５２０についても前記他の部材を設けることが可能である。
【０１４５】
弾性変形部１３０、４３０、５３０については、第１、第２の接続部の間に介在し、電子部品の長さ方向の熱膨張変形又は熱収縮変形に応じて弾性変形可能である限り任意に設計変更することが可能である。例えば、ゴム体や側面視又は断面視略Ｓ字状、Ｏ字状、Ｕ字状、Ｖ字状、蛇行湾曲形状（図２２参照）の板状体等とすることができる。また、第２の接続部がランプ本体部と反対側に第１の接続部と間隔を空けて位置している場合、弾性変形部を中実のゴム体とすることもできる。
【０１４６】
上記実施例では、前記アダプタは、コイルスプリングやプレス成型品であるとしたが、これに限定されるものではない。また、第１乃至３実施例の第１、第２の接続部及び弾性変形部を各々組み合わせることも可能である。例えば、アダプタ１００の第１の接続部に、第１の接続部４００又は５００を用いることもできる。また、熱陰極蛍光ランプ３０用のアダプタ５００’として、図２２に示すように、棒状体である第１の接続部５１０’と、座巻部である第２の接続部５２０’と、蛇行湾曲形状の弾性変形部５３０’とを備えた構成とすることも可能である。この場合、一方の弾性変形部５３０’と他方の弾性変形部５３０’の長さが異なっている。
【０１４７】
なお、上記アダプタは、電子部品のリード端子と接続装置のコンタクトとを電気的且つ機械的に接続するものであるとしたが、これに代えて電子部品のリード端子と接続装置との間に介在し両者を機械的にのみ接続する緩衝具とすることができる。この場合、前記緩衝具は、上記第１の接続部に代えてリード端子に取付られる第１の取付部とし、上記第２の接続部に代えて接続装置に取付可能な第２の取付部とすれば良い。
【０１４８】
接続装置Ｓ、Ｓ’については、電子部品の本体部の端部、リード端子及びこれに接続されたアダプタを収容可能なボディと、このボディに収容され、前記アダプタに電気的に接続可能な接続手段とを有する限り任意に設計変更することが可能である。
【０１４９】
アダプタの代わりに、前記緩衝具を用いる場合、前記接続装置は、前記緩衝具を機械的に保持する保持手段を更に備えている必要がある。この場合、前記接続装置は電子部品のリード端子に直接電気的に接続するようにすれば良い。
【０１５０】
挟持壁部２１３については、コンタクトのクランプ部との間でアダプタの第２の接続部を挟持し得る形状である限り任意に設計変更することが可能である。よって、挟持壁部２１３に凹凸面２１３ａを設けるか否かは任意である。
【０１５１】
挟持壁部２１３には、ストッパとして凹凸面２１３ａが設けられているとしたが、第２の接続部が電子部品の熱膨張変形又は熱収縮変形に伴って当該電子部品の長さ方向への移動するのを抑止するストッパである限りどのようなものを設けても構わない。例えば、前記第２の接続部の両端部に当接可能な一対の凸部や前記第２の接続部が嵌まり込む凹部等とすることができる。
【０１５２】
係止爪２３０については、厚み寸法が基板２０の係止孔２１の幅広部２１ａの幅寸法より若干小さい先端部と、この先端部に略直角であり且つ係止孔２１の幅狭部２１ｂの幅寸法より若干小さい基端部を有する略Ｌ字状部材である限り任意に設計変更することが可能である。この係止爪は少なくとも１つあれば良い。
【０１５３】
アーム部２４０については、係止爪２３０の幅方向に向いた長尺部材であり且つその先端部が基板の面上に沿って揺動可能である限り任意に設計変更することが可能である。また、アーム部２４０は、係止爪２３０とボディ２００の幅方向に位置ずれして配設することが可能である。例えば、アーム部２４０を第２の箱体２２０の一端部に設けることも可能である。この場合、基板２０のロック孔２２も前記アーム部の位置に応じて設けるようにすれば良い。よって、係止孔２１と、ロック孔２２とは連通している必要はない。このアーム部も少なくとも一つあれば良い。
【０１５４】
係止凸部２５０については、円柱体であるとしたが、ロック孔２２に挿入可能な突起である限り任意に設計変更することが可能である。なお、ボディ６００にも、アーム部２４０及び係止凸部２５０を設け、基板２０に実装することが可能である。
【０１５５】
コンタクト３００、７００については、アダプタの第２の接続部に電気的且つ機械的に接続可能であり且つ基板の接点パターンに接触可能である限り任意に設計変更することが可能である。
【０１５６】
クランプ部３２０については、第２の接続部を挟持し得るものである限りその形状を任意に設計変更すること可能である。また、クランプ部３２０は、挟持壁部２１３との間で第２の接続部１２０を挟持するとしたが、これに限定されるものではない。例えば、一対のクランプ部により第２の接続部を挟持するようにしても構わない。
【０１５７】
また、前記クランプ部の内面に上記ストッパを設けることが可能である。このようにクランプ部にストッパを設けたとしても、アダプタの第２の接続部に当接することにより、凹凸面２１３ａと同様の効果を奏することができる。なお、前記ストッパは、上記アダプタの第２の接続部の外面に設けることも可能である。コンタクト７００のクランプ部７２０にも同様のストッパを設けることが可能である。
【０１５８】
保持部３３０については、電子部品の本体部を挟持し得るものである限りその形状を任意に設計変更すること可能である。また、保持部３３０については、ボディ２００の開口部２１１の縁部との間で挟持するとしたが、これに限定されるものではない。例えば、一対の保持部により本体部を挟持するようにしても構わない。コンタクト７００にも前記保持部を設けることが可能である。
【０１５９】
接点部３４０については、基板２０と電気的に接続可能であれば良い。例えば、接点部３４０を、基板２０のスルーホールに挿入可能な板状体とすることもできるし、基板の接点パターンに接触し表面実装可能な鉤状体とすることもできるし、基板の回路パターン又はその他の電子部品等と接続するためのリード線が圧着可能な形状とすることもできる。また、接点部３４０を別体とし、ベース板３１０に接触させるように設計変更することも一応可能である。
【０１６０】
なお、本発明は、上記実施例においては、冷陰極蛍光ランプ１０又は熱陰極蛍光ランプ３０に接続されるものであるとして説明したが、これに限定されるものではなく、本体部と、この本体部に設けられる少なくとも一本のリード端子とを有し熱膨張変形又は熱収縮変形可能な熱陰極蛍光ランプ等のその他の電子部品に適応可能であることは言うまでもない。前記電子部品がリード端子を３本以上有する場合には、３以上の前記アダプタ及びコンタクトを用いれば良い。
【図面の簡単な説明】
【０１６１】
【図１】本発明の第１の実施の形態に係るアダプタの冷陰極蛍光ランプに接続された状態を示す図であって、（ａ）が概略的平面図、（ｂ）が概略的右側面図である。
【図２】同アダプタを示す図であって、（ａ）が概略的平面図、（ｂ）が概略的右側面図である。
【図３】同アダプタの概略的斜視図である。
【図４】本発明の第１の実施の形態に係る接続装置のアダプタ接続後であり且つ基板実装後の状態を示す概略的斜視図である。
【図５】同装置のアダプタ接続前であり且つ基板実装前の状態を示す概略的斜視図である。
【図６】同装置を示す図であって、（ａ）が概略的正面図、（ｂ）が概略的背面図、（ｃ）が概略的側面図、（ｄ）が概略的平面図、（ｅ）が概略的底面図、（ｆ）が背面上側から見た概略的斜視図である。
【図７】同装置のボディを示す図であって、（ａ）が概略的正面図、（ｂ）が概略的背面図、（ｃ）が概略的側面図、（ｄ）が概略的平面図、（ｅ）が概略的底面図、（ｆ）が背面上側から見た概略的斜視図である。
【図８】同装置のコンタクトを示す図であって、（ａ）が正面上側から見た概略的正面図、（ｂ）が背面上側から見た概略的斜視図である。
【図９】同装置のアダプタ接続後であり且つ基板実装後の状態を示す概略的平面図であって、（ａ）が初期状態を示す図、（ｂ）が冷陰極蛍光ランプが熱膨張し弾性変形部が伸びた状態を示す図、（ｃ）が冷陰極蛍光ランプが熱収縮し弾性変形部が縮んだ状態を示す図である。
【図１０】同装置の基板実装過程を示す模式的底面図であって、（ａ）が、係止爪が係止孔に、係止凸部がロック孔に挿入された状態を示す図、（ｂ）がスライド移動状態を示す図、（ｃ）が係止状態を示す図である。
【図１１】本発明の第２の実施の形態に係るアダプタの冷陰極蛍光ランプに接続された状態を示す図であって、（ａ）が概略的正面図、（ｂ）が概略的左側面図である。
【図１２】同アダプタを示す図であって、（ａ）が正面図、（ｂ）が背面図、（ｃ）が平面図、（ｄ）が底面図、（ｅ）が左側面図、（ｆ）斜視図である。
【図１３】同アダプタがコンタクトに挟持された状態を示す模式的側面図であって、（ａ）が冷陰極蛍光ランプの熱膨張又は熱収縮前の状態を示す図、（ｂ）が冷陰極蛍光ランプが熱膨張し弾性変形部が伸びた状態を示す図、（ｃ）が冷陰極蛍光ランプが熱収縮し弾性変形部が縮んだ状態を示す図である。
【図１４】本発明の第３の実施の形態に係るアダプタの熱陰極蛍光ランプに接続された状態を示す図であって、（ａ）が概略的正面図、（ｂ）が概略的平面図、（ｃ）が概略的右側面図である。
【図１５】同アダプタを示す図であって、（ａ）が正面上方から見た斜視図、（ｂ）が背面上方から見た概略的斜視図である。
【図１６】本発明の第３の実施の形態に係る接続装置の基板に実装され且つアダプタ及び熱陰極蛍光ランプが接続された状態を示す概略的正面図である。
【図１７】同装置を示す図であって、（ａ）が概略的正面図、（ｂ）が概略的背面図、（ｃ）が概略的平面図、（ｄ）が概略的底面図、（ｅ）が概略的側面図である。
【図１８】同装置のコンタクトを示す図であって、（ａ）が正面上方から見た概略的斜視図、（ｂ）が背面上方から見た概略的斜視図である。
【図１９】同装置のコンタクトにアダプタ及び熱陰極蛍光ランプが挟持された状態を示す模式的側面図であって、（ａ）が熱陰極蛍光ランプの熱膨張又は熱収縮前の状態を示す図、（ｂ）が熱陰極蛍光ランプが熱膨張し弾性変形部が伸びた状態を示す図、（ｃ）が熱陰極蛍光ランプが熱収縮し弾性変形部が縮んだ状態を示す図である。
【図２０】第１の実施例のアダプタの設計変更例を示す概略的斜視図である。
【図２１】（ａ）が第２の実施例のアダプタの設計変更例を示す概略的斜視図、（ｂ）が第２の実施例のアダプタの別の設計変更例を示す概略的斜視図である。
【図２２】第３の実施例のアダプタの設計変更例を示す概略図であって、（ａ）が側面図、（ｂ）が平面図である。
【符号の説明】
【０１６２】
１０  冷陰極蛍光ランプ
１１  ランプ本体部（本体部）
１２  リード端子
２０  基板
２１  係止孔
２１ａ  幅広部
２１ｂ  幅狭部
２２  ロック孔
２２ａ  山部
２２ｂ  麓エリア
２２ｃ  谷エリア
１００  アダプタ
１１０  第１の接続部
１２０  第２の接続部
１３０  弾性変形部
Ｓ      接続装置
２００  ボディ
α      収容空間（収容部の一部）
２１３  挟持壁部
２１４  凹部（収容部の残りの部分）
３００  コンタクト
３１０  ベース板
３２０  クランプ部
３３０  保持部
３０  熱陰極蛍光ランプ
３１  ランプ本体部（本体部）
３２  リード端子
４０  基板
４１  係止孔
４００  アダプタ
４１０  第１の接続部
４２０  第２の接続部
４３０  弾性変形部
５００  アダプタ
５１０  第１の接続部
５２０  第２の接続部
５３０  弾性変形部
Ｓ’  接続装置
６００  ボディ
α      収容空間（収容部）
７００  コンタクト
７２０  クランプ部
【図１】
0004874273.tif 000002
【図２】
0004874273.tif 000003
【図４】
0004874273.tif 000004
【図５】
0004874273.tif 000005
【図６】
0004874273.tif 000006
【図７】
0004874273.tif 000007
【図８】
0004874273.tif 000008
【図９】
0004874273.tif 000009
【図１０】
0004874273.tif 000010
【図１１】
0004874273.tif 000011
【図１２】
0004874273.tif 000012
【図１３】
0004874273.tif 000013
【図１４】
0004874273.tif 000014
【図１５】
0004874273.tif 000015
【図１６】
0004874273.tif 000016
【図１７】
0004874273.tif 000017
【図１８】
0004874273.tif 000018
【図１９】
0004874273.tif 000019
【図２０】
0004874273.tif 000020
【図２１】
0004874273.tif 000021
【図２２】
0004874273.tif 000022
【図３】
0004874273.tif 000023